(57)【特許請求の範囲】
【請求項１】
電源部から電力の供給を受け、当該電力によって動作する複数の処理部に対して独立して、電力を供給する電力供給モード又は電力供給を休止する節電モードを選択的に実行する電力供給制御手段と、
予め設定された領域内で、移動体を検出する検出手段と、
前記検出手段での前記移動体の検出結果に基づいて、前記電力供給制御手段を制御して、電力供給モード又は節電モードの一方から他方へのモード移行を指示する電力供給モード移行指示手段と、
前記移動体である使用者が指示するジョブに基づいて稼動する処理部を対象として、前記検出手段による移動体の検出状況に基づいて、前記ジョブを実行するには不要な処理部の電力供給状態を制御するようにモード移行を制御する制御手段とを有し、
前記ジョブの処理量を特定し、
前記ジョブの処理量が基準値を超えた場合に、前記制御手段によるモード移行制御の実行を許可する電力供給制御装置。
【請求項２】
前記制御手段が、
前記検出手段による移動体の検出が途絶えた場合に当該ジョブに不要かつ電力供給モード中の処理部を節電モードへ移行し、
前記検出手段による移動体の検出が復帰した場合に、当該節電モードへ移行した処理部を電力供給モードへ移行する請求項１記載の電力供給制御装置。
【請求項３】
前記ジョブの処理量が、当該ジョブの実行が開始されてからの処理実行累積時間、或いは当該ジョブの処理によって消費される消費媒体の消費量から換算される請求項１又は請求項２記載の電力供給制御装置。
【請求項４】
前記処理部が、前記節電モードから電力供給モードへ移行するのにかかる時間によって少なくとも２種のプロセスに分類され、前記制御手段では、モード移行時期を、前記ジョブの処理量に基づいて段階的に制御する請求項１〜３の何れか１項記載の電力供給制御装置。
【請求項５】
前記請求項１〜請求項４の何れか１項記載の電力供給制御装置を備え、前記処理装置が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置。
【請求項６】
コンピュータを、前記請求項１〜請求項４の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、必要最小限の電力とすることを目的として、省エネルギーモード時に駆動が必要な人体検知センサを時分割駆動にして、人体を検出したら時分割の周期を短くするなどして、時分割駆動による人体検知センサの平均電力を省エネすることが記載されている。また、機器が操作中には、人体検出センサを駆動停止して更に省エネしている。なお、この特許文献１において、ジョブ実行中に関する省エネ対策についての記載はない。
【先行技術文献】
【特許文献】
【０００３】
【特許文献１】特開２００２−０７１８３３号公報
【発明の概要】
【発明が解決しようとする課題】
【０００４】
本発明は、移動体の検出状態で処理部への電力供給を制御する場合に、当該処理部での処理中における電力の無駄を改善することができる電力供給制御装置、画像処理装置、電力供給制御プログラムを得ることが目的である。
【課題を解決するための手段】
【０００５】
請求項１に記載の発明は、電源部から電力の供給を受け、当該電力によって動作する複数の処理部に対して独立して、電力を供給する電力供給モード又は電力供給を休止する節電モードを選択的に実行する電力供給制御手段と、予め設定された領域内で、移動体を検出する検出手段と、前記検出手段での前記移動体の検出結果に基づいて、前記電力供給制御手段を制御して、電力供給モード又は節電モードの一方から他方へのモード移行を指示する電力供給モード移行指示手段と、前記移動体である使用者が指示するジョブに基づいて稼動する処理部を対象として、前記検出手段による移動体の検出状況に基づいて、前記ジョブを実行するには不要な処理部の電力供給状態を制御するようにモード移行を制御する制御手段とを有し、前記ジョブの処理量を特定し、前記ジョブの処理量が基準値を超えた場合に、前記制御手段によるモード移行制御の実行を許可する電力供給制御装置である。
【０００６】
請求項２に記載の発明は、前記請求項１に記載の発明において、前記制御手段が、前記検出手段による移動体の検出が途絶えた場合に当該ジョブに不要かつ電力供給モード中の処理部を節電モードへ移行し、前記検出手段による移動体の検出が復帰した場合に、当該節電モードへ移行した処理部を電力供給モードへ移行する。
【０００８】
請求項３に記載の発明は、前記請求項１又は請求項２に記載の発明において、前記ジョブの処理量が、当該ジョブの実行が開始されてからの処理実行累積時間、或いは当該ジョブの処理によって消費される消費媒体の消費量から換算される。
【００１０】
請求項４に記載の発明は、前記請求項１〜請求項３の何れか１項記載の発明において、前記処理部が、前記節電モードから電力供給モードへ移行するのにかかる時間によって少なくとも２種のプロセスに分類され、前記制御手段では、モード移行時期を、前記ジョブの処理量に基づいて段階的に制御する。
【００１１】
請求項５に記載の発明は、前記請求項１〜請求項４の何れか１項記載の電力供給制御装置を備え、前記処理装置が、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置である。
【００１２】
請求項６に記載の発明は、コンピュータを、前記請求項１〜請求項４の何れか１項記載の電力供給制御装置として実行させる電力供給制御プログラムである。
【発明の効果】
【００１３】
本願発明によれば、移動体の検出状態で処理部への電力供給を制御する場合に、当該処理部での処理中における電力の無駄を改善することができる。
【００１４】
また、本構成を有しない場合に比べて、モード移行時期を利便性を維持しながら、省エネ性を確立することができる。
【図面の簡単な説明】
【００１５】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】本実施の形態に係るジョブ実行指示時に実行される電力供給制御ルーチンを示すフローチャートである。
【図６】変形例１に係るジョブ実行指示時に実行される電力供給制御ルーチンを示すフローチャートである。
【図７】変形例２に係るジョブ実行指示時に実行される電力供給制御ルーチンを示すフローチャートである。
【図８】変形例３にジョブ実行指示時に実行される電力供給制御ルーチンを示すフローチャートである。
【図９】図７の変形例２の電力供給制御の実施例を示すタイムチャートである。
【発明を実施するための形態】
【００１６】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００１７】
また、このネットワーク通信回線網２０には、情報端末機器としての複数のＰＣ（パーソナルコンピュータ）３０が接続されている。図１では、２台のＰＣ３０が接続されているが、この数は限定されるものではなく、１台でもよいし、３台以上であってもよい。また、情報端末機器としては、ＰＣ３０に限定されるものではなく、さらには有線接続である必要もない。すなわち、無線によって情報を送受信する通信回線網であってもよい。
【００１８】
図１に示される如く、画像処理装置１０では、ＰＣ３０から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００１９】
図２には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００２０】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００２１】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２２】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２３】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００２４】
（制御系ハード構成）
図３は、画像処理装置１０の制御系のハード構成の概略図である。
【００２５】
ネットワーク回線網２０は、メインコントローラ２００に接続されている。メインコントローラ２００には、それぞれ、データバスやコントロールバス等のバス３２Ａ〜３２Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。
【００２６】
また、画像処理装置１０は、電源装置２０２を備えており、メインコントローラ２００とはバス３２Ｅで接続されている。電源装置２０２は、商用電源２４２から電力の供給を受けている。電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３４Ａ〜３４Ｄが設けられている。このため、メインコントローラ２００では、各処理部（デバイス）に対して個別に電力供給（電力供給モード）、或いは電力供給遮断（節電モード）し、所謂部分節電制御を可能としている。
【００２７】
また、メインコントローラ２００には、人感センサ２８が接続されており、画像処理装置１０の周囲の人の有無を監視している。この人感センサ２８については後述する。
【００２８】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電）。
【００２９】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００３０】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００３１】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００３２】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００３３】
［電源装置２０２］
図４に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００３４】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００３５】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００３６】
また、第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００３７】
第２の電源部２５０の２４Ｖ電源部２５０Ｈ及び５Ｖ電源部２５０Ｌ（ＬＶＰＳ１）は、選択的に、画像読取部２５８、画像形成部２６０、ファクシミリ通信制御回路部２６４、ＵＩタッチパネル２１６に接続されている。
【００３８】
画像読取部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００３９】
画像形成部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００４０】
ファクシミリ通信回路部２６４は、２４Ｖ電源部２５０Ｈ（ＬＶＰＳ２）と５Ｖ電源部２５０Ｌ（ＬＶＰＳ１）を入力源として、第５のサブ電源スイッチ２７４（以下、「ＳＷ−５」という場合がある。）を介して、ファクシミリ通信制御回路２３６及び画像形成部２４０に接続されている。
【００４１】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第６のサブ電源スイッチ２７６（以下、「ＳＷ−６」という場合がある。）を介して、ＵＩタッチパネル２１６に接続されている。
【００４２】
前記第２のサブ電源スイッチ２６８、第３のサブ電源スイッチ２７０、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、24V電源部と5V電源部が供給されるスイッチや配線は、2系統で構成されている。また電源スイッチ２６８〜２７６は電源装置でなく、電源供給先の各デバイス内に配置されても良い。
【００４３】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００４４】
（監視制御）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「節電モード（スリープモード）」という場合がある。
【００４５】
節電モードは、例えば、画像処理が終了した時点でタイマを起動させることで移行可能である。すなわち、前記タイマが起動してから所定時間をカウントすることで電力供給を停止させている。なお、所定時間が経過するまでに、何らかの操作（ハードキーの操作等）があれば、当然、節電モードへのタイマカウントは中止され、次の画像処理終了時からタイマが起動される。
【００４６】
一方、上記節電モード中において、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００４７】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、第１のサブ電源スイッチ２５６、第２のサブ電源スイッチ２６８、第３のサブ電源スイッチ２７０、第４のサブ電源スイッチ２７２、第５のサブ電源スイッチ２７４、第６のサブ電源スイッチ２７６を制御することで、電力を供給を行なうことが前提である。
【００４８】
また、メインコントローラ２００のＩ／Ｏ２１０には、節電解除ボタン２６が接続されており、節電中に使用者がこの節電解除ボタン２６を操作することで、節電が解除可能となっている。
【００４９】
ここで、節電モードで監視するためには、節電中監視制御部２４以外に、節電ボタンや各検出部には節電中に必要最小限の電力を供給しておくことが前提となる。
【００５０】
従って、節電モードであっても、ＵＩタッチパネル２１６等の入力系を主体とした必要最小限の電力供給は供給されているのが現状である。
【００５１】
さらに、節電モード時に使用者が画像処理装置１０の前に立ち、その後に節電解除ボタン２６を操作して、電力供給を再開した場合、画像処理装置１０が立ち上がるまでに時間を要する場合があった。
【００５２】
そこで、本実施の形態では、前記節電中監視制御部２４に、人感センサ２８を設置すると共に、節電モードでは、使用者が節電解除ボタンを押す前に人感センサで検知して早期に電力供給を再開して、使用者が早く使えるようにした。
【００５３】
人感センサ２８は、検出部２８Ａと回路基板部２８Ｂとを備えており、回路基板部２８Ｂは、検出部２８Ａで検出した信号の感度を調整したり、出力信号を生成する。
【００５４】
なお、人感センサ２８は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。
【００５５】
人感センサ２８の仕様は、画像処理装置１０の周囲において、人の動きを検出するものである。この場合、焦電素子の焦電効果を用いた赤外線センサ等が代表的である。
【００５６】
この焦電素子の焦電効果を用いたセンサの最大の特徴は、検出領域が広いことである。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００５７】
人感センサ２８の仕様は、人の有無（存在・不存在）を検出するものであってもよい。このようなセンサは、投光部と受光部とを備えた反射型センサ等が代表的である。なお、投光部と受光部とが分離された形態であってもよい。
【００５８】
この反射型センサ等の最大の特徴は、受光部に入る光を遮断する／しないによって人の有無を確実に検出することである。また、投光部から投光される光量等により、受光部へ入射する光量に制限があるため、比較的近距離が検出領域である。
【００５９】
さらには、同一仕様、異仕様に関わらず、複数の人感センサ２８を設置するようにしてもよい。
【００６０】
ここで、本実施の形態の画像処理装置１０に搭載される、前記人感センサ２８は、前述したように前記節電中監視制御部２４に接続され、その検出信号が節電中監視制御部２４へ入力されるようになっている。
【００６１】
節電中監視制御部２４では、人感センサ２８からの信号に基づいて、人の接近、さらには操作の意志を見極めるようになっている。
【００６２】
人感センサ２８は、例えば画像処理装置１０の画像読取部２３８の手前側上面に設けられた操作パネルに対して裏面側、すなわち、下面側に固定的に取り付けられている(図１、図２参照）。
【００６３】
人感センサ２８の検出光軸は、画像処理装置１０の前に立って操作を行なう使用者が存在すると予測される装置前方に向けられている（図１の検出領域Ｍ参照）。なお、この検出領域Ｍは、人感センサ２８の取付位置、取付時の光軸の方向等によって変更可能であり、例えば、人感センサ２８を画像処理装置１０から離して、天井等に設置する構成であってもよい。
【００６４】
ところで、画像処理装置１０では、その設置場所によって人の動きが異なる場合がある。すなわち、画像処理装置１０は、設置場所（例えば、事務所等）の環境によって異なる。環境によって異なるということは、人感センサ２８によって検出する対象が、実際の画像処理装置１０を操作する人以外の人（例えば、単に通りすぎる人、ほとんど画像処理装置１０に近づかない人等）も検出する可能性がある。
【００６５】
さらには、画像処理装置１０の使用頻度によっても、画像処理装置１０の近傍での人の動きが異なる場合がある。例えば、人がある程度近づいた場合に、画像処理装置１０の操作目的である場合と、操作目的でない場合との比率が異なる。
【００６６】
このため、画像処理装置１０の設置状態に基づいて、人感センサ２８の感度を調整可能な構造とすることが好ましい。
【００６７】
上記説明したように、本実施の形態の画像処理装置１０では、画像処理が終了した時点でタイマを起動させて所定時間後の節電モードへ移行し、人感センサ２８によって画像処理装置１０の周囲の検出領域Ｍに人が侵入したことで電力供給モードへ移行することを繰り返すことになる。
【００６８】
ところで、前述したタイマによる節電モードへの移行では、全ての処理部が稼働していないことが前提である。言い換えれば、節電モードの状態から特定の処理が指定された場合を除き、複写処理が実行された後に、画像読取処理が実行されると、タイマは起動しないため、電力供給が不要な画像形成部２４０やファクシミリ通信制御回路２３６に電力が供給された状態となる。これでは、部分節電の機能を充分に発揮したとは言えない。
【００６９】
しかしながら、その一方で、次のジョブによっては、稼働していない処理部に対して電力供給を継続しておいた方がよい場合もあり得る。
【００７０】
そこで、本実施の形態では、人感センサ２８の検出情報に基づいて、現在処理しているジョブに対する責任ユーザー（画像処理装置１０の前で処理実行の指示をして待機しているユーザー）がいるかいないかを判断し、当該処理中にも関わらず、画像処理装置１０から離れるような状況を認識した場合に(人感センサ２８に人を未検出）、一時的に当該処理に不要な処理部への電力供給を遮断するようにした。
【００７１】
また、ユーザーが戻ってきた（人感センサ２８で人を検出）時には、電力供給を遮断した処理部への電力供給を再開するようにした。
【００７２】
以下に本実施の形態の作用を説明する。
【００７３】
本実施の形態の画像処理装置１０では、予め定められた条件が揃うと、節電モード（スリープモード）へ移行する。この節電モードでは、節電モードから復帰する要求のある通信回線検出部、ＦＡＸ回線検出部、節電ボタン、節電中監視制御部などを除くファクシミリ通信制御回路２３６、画像読取部２３８、画像形成部２４０メインコントローラ２００、並びにＵＩタッチパネル２１６に対して電力供給を遮断する。
【００７４】
図５は、本実施の形態に係るジョブ実行指示時に実行される電力供給制御ルーチンを示すフローチャートである。
【００７５】
ステップ１００では、ジョブスタート処理が実行され、次のステップ１０２では、当該ジョブが実行中か否かが判断される。
【００７６】
このステップ１０２で否定判定されると、ステップ１２８へ移行する。ステップ１２８以降の処理は後述する。また、ステップ１０２肯定判定されると、ステップ１０４へ移行して、人感センサ２８の検出情報を取得し、次いでステップ１０６へ移行して、移動体（すなわち、好ましくは、画像処理装置１０の使用者）を検出したか否かが判断される。
【００７７】
このステップ１０６で人を検出していると判断された場合は、ジョブ処理指示者が使用者として画像処理装置１０に対面していると判断し、ステップ１０２へ戻る。
【００７８】
また、ステップ１０６で人を検出していないと判断された場合は、ジョブ処理指示者が画像処理装置１０から離れた（人が不在となった）と判断され、ステップ１０８へ移行する。
【００７９】
ステップ１０８では、実行中のジョブ種を特定し、次いでステップ１１０で特定したジョブ種に基づいて、処理を振り分ける。
【００８０】
すなわち、ステップ１１０でジョブ種が「ＳＣＡＮ」、「ＦＡＸ送信」（画像読取ジョブ、ファクシミリ送信ジョブ）と判定された場合は、ステップ１１２へ移行して、このジョブ種には電力供給の必要がないで処理部（モジュール）として、ＵＩタッチパネル２１６、画像形成部２４０を選択して、節電対象に設定して、ステップ１１８へ移行する。
【００８１】
また、ステップ１１０でジョブ種が「ＰＲＩＮＴ」（画像記録ジョブ）と判定された場合は、ステップ１１４へ移行して、このジョブ種には電力供給の必要がないで処理部（モジュール）として、ＵＩタッチパネル２１６、画像読取２３８、ファクシミリ通信制御回路２３６を選択して、節電対象に設定して、ステップ１１８へ移行する。
【００８２】
さらに、ステップ１１０でジョブ種が「ＣＯＰＹ」（画像複写ジョブ）と判定された場合は、ステップ１１６へ移行して、このジョブ種には電力供給の必要がないで処理部（モジュール）として、ＵＩタッチパネル２１６、ファクシミリ通信制御回路２３６を選択して、節電対象に設定して、ステップ１１８へ移行する。
【００８３】
ステップ１１８では、前記ステップ１１２、１１４、１１６の何れかにおいて、節電対象となった処理部の節電移行処理を実行し、ステップ１２０へ移行する。
【００８４】
ステップ１２０では、前記ステップ１０４に続いて、再度人感センサ２８の検出情報を取得し、次いでステップ１２２へ移行して、移動体（すなわち、好ましくは、画像処理装置１０の使用者）を検出したか否かが判断される。
【００８５】
このステップ１２２で人を検出していると判断された場合は、ジョブ処理指示者（使用者）が画像処理装置１０に向かって戻ってきたと判断し、ステップ１２４へ移行して、前記ステップ１１８で実行した節電処理対象の処理部の復帰処理を実行し、ステップ１０２へ移行する。
【００８６】
また、ステップ１２２で人を検出していないと判断された場合は、ジョブ処理指示者が画像処理装置１０から離れた使用者が戻ってきていないと判断され、ステップ１２６へ移行する。
【００８７】
ステップ１２６ではジョブが依然として実行中か否かが判断され、肯定判定された場合は、ステップ１２２へ移行する。
【００８８】
また、ステップ１２６で否定判定、すなわち、ジョブが終了したと判断された場合は、ステップ１２８へ移行する。このステップ１２８は、前記ステップ１０２の否定判定においても移行する。
【００８９】
ステップ１２８では、ジョブエンド処理を実行し、次いで、ステップ１３０へ移行して次のジョブ実行指示があるか否かが判断される。このステップ１３０で肯定判定されると、ステップ１００へ戻り、本ルーチンを最初から実行する。また、ステップ１３０で否定判定された場合は、ステップ１３２へ移行して、所定時間処理が無いか否かが判断され、否定判定された場合は、ステップ１３０へ戻り、このステップ１３０で肯定判定、或いはステップ１３２で肯定判定されるまで、ステップ１３０、１３２を繰り返す。
【００９０】
ステップ１３２で肯定判定された場合は、次のジョブ処理が終了して所定時間経過したと判断し、ステップ１３４へ移行して、全ての処理部に対して節電移行処理を行い、画像処理装置１０をスリープ状態としてこのルーチンは終了する。なお、本実施の形態では、画像処理装置１０のスリープ状態は、メインコントローラ２００の一部（監視制御部２４など）や節電ボタン、回線検出部の最低限のエリアのみに電力供給がなされる状態となる。図５の通り、例えば使用者が大量の原稿をSCANで読み込んでいる場合に、ジョブ時間がかかるため画像処理装置から離れる事があるが、不在に合せて画像形成部などをジョブ中に節電できる。またジョブ中に戻ってくれば元の状態に復帰するので、ジョブ終了後に画像形成部などの復帰を待つ事なく次のジョブを続ける事が出来る。
【００９１】
（変形例１）
図６は、図５で説明したジョブ実行指示時に実行される電力供給制御ルーチンの変形例（変形例１）を示すフローチャートである。
【００９２】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【００９３】
これに対して、変形例１では、上記実施の形態の「人の不在」という節電処理の条件に加え、現在実行中のジョブの処理量を判定対象とした点にある。
【００９４】
なお、図６では、図５に示すフローチャートで示すステップと同一処理を実行するステップについては、同一の符号の後に「Ａ」を付して、説明を省略する。
【００９５】
図６は、ステップ１０６Ａとステップ１０８Ａの間にステップ１５０が追加されたものである。
【００９６】
ステップ１０６Ａで人未検出と判定されるとステップ１５０へ移行する。ステップ１５０では、現在実行中のジョブの処理量が基準値以上か否かが判断され、否定判定された場合はステップ１０２Ａへ移行し、肯定判定された場合はステップ１０８Ａへ移行する。
【００９７】
処理量の基準値としては、例えば、（１）ジョブスタートしてから２０秒以上経過した、（２）処理枚数が５０枚以上、（３）処理枚数からの換算値で処理時間が２０秒以上等が挙げられるが、この（１）〜（３）の条件に限られるものではない。図６の通り、ジョブ処理量が基準値より小さい場合は、人が不在となっても節電させない為、短いジョブの実行中に次の原稿の準備などで画像処理装置から離れても節電復帰を待つ時間が発生しない。長いジョブ時の省エネ性と短いジョブ時の利便性が自動で対応できる。
【００９８】
（変形例２）
図７は、図５で説明したジョブ実行指示時に実行される電力供給制御ルーチンの変形例（変形例２）を示すフローチャートである。
【００９９】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【０１００】
これに対して、変形例２では、上記実施の形態の「人の不在」という節電処理の条件に加え、当該不在となってから基準値を超えて不在が継続されたか否かを判定対象とした点にある。
【０１０１】
なお、図７では、図５に示すフローチャートで示すステップと同一処理を実行するステップについては、同一の符号の後に「Ｂ」を付して、説明を省略する。
【０１０２】
図７は、ステップ１０６Ｂとステップ１０８Ｂの間にステップ１５２が追加されたものである。
【０１０３】
ステップ１０６Ｂで人未検出と判定されるとステップ１５２へ移行する。ステップ１５２では、未検出（不在時間）が基準値以上か否かが判断され、否定判定された場合はステップ１０２Ｂへ移行し、肯定判定された場合はステップ１０８Ｂへ移行する。
【０１０４】
不在時間の基準値としては、例えば、未検出となってから１０秒以上等が挙げられるが、この条件に限られるものではない。
【０１０５】
（変形例３）
図８は、図５で説明したジョブ実行指示時に実行される電力供給制御ルーチンの変形例（変形例１）を示すフローチャートである。
【０１０６】
上記実施の形態では、画像処理装置１０の前から現在処理しているジョブの責任ユーザーが不在となったとき（不在となってから基準時間が経過したとき）、非実行中の処理部を対象として節電処理を実行するようにした。
【０１０７】
これに対して、変形例３では、上記実施の形態の「人の不在」という節電処理の条件に加え、現在実行中のジョブの処理量を判定対象とした点、並びに、節電処理に段階（プロセス１、プロセス２）を設定した点にある。
【０１０８】
上記プロセス１は、節電状態から復帰時間が早い処理部を対象とする節電移行であり、ＵＩタッチパネル２１６が挙げられる。
【０１０９】
一方、プロセス２は、節電状態から復帰時間が遅い処理部を対象とする節電移行であり、ファクシミリ通信制御回路２３６、画像読取部２３８、画像形成部２４０が挙げられる。
【０１１０】
なお、画像処理装置１０の機種によっては、画像読取部２３８が復帰時間の早い方に分類される場合がある。
【０１１１】
なお、図８では、図５に示すフローチャートで示すステップと同一処理を実行するステップについては、同一の符号の後に「Ｃ」を付して、説明を省略する。
【０１１２】
図８は、ステップ１０６Ｃとステップ１１８Ｃの間に処理が追加されたものである。
【０１１３】
ステップ１０６Ｃで人未検出と判定されるとステップ１５４へ移行する。ステップ１５４では、実行中のジョブ種を特定し、次いでステップ１５６へ移行して、復帰時間が早い処理部を節電対象に設定し（プロセス１）、ステップ１５８へ移行する。
【０１１４】
ステップ１５８では、現在実行中のジョブの処理量が基準値以上か否かが判断され、否定判定された場合はステップ１６０へ移行し、肯定判定された場合はステップ１６２へ移行する。
【０１１５】
処理量の基準値としては、例えば、（１）ジョブスタートしてから２０秒以上経過した、（２）処理枚数が５０枚以上、（３）処理枚数からの換算値で処理時間が２０秒以上等が挙げられるが、この（１）〜（３）の条件に限られるものではない。
【０１１６】
ステップ１６０では、人感センサ２８の検出情報を取得し、次いでステップ１６４へ移行して、移動体（すなわち、好ましくは、画像処理装置１０の使用者）を検出したか否かが判断される。
【０１１７】
このステップ１６４で人を検出していると判断された場合は、ステップ１６６へ移行して、プロセス１の復帰処理を実行し、ステップ１００Ｃへ移行する。
【０１１８】
また、ステップ１６４で人を検出していないと判断された場合は、ステップ１５８Ｃへ移行する。
【０１１９】
一方、ステップ１６２では、実行中のジョブ種を特定し、次いでステップ１６８で特定したジョブ種に基づいて、処理を振り分ける。
【０１２０】
すなわち、ステップ１６８でジョブ種が「ＳＣＡＮ」、「ＦＡＸ送信」（画像読取ジョブ、ファクシミリ送信ジョブ）と判定された場合は、ステップ１７０へ移行して、このジョブ種には電力供給の必要がない処理部（モジュール）として、画像形成部２４０を選択して、節電対象に設定して（プロセス２）、ステップ１１８Ｃへ移行する。
【０１２１】
また、ステップ１６８でジョブ種が「ＰＲＩＮＴ」（画像記録ジョブ）と判定された場合は、ステップ１７２へ移行して、このジョブ種には電力供給の必要がない処理部（モジュール）として、画像読取２３８、ファクシミリ通信制御回路２３６を選択して、節電対象に設定して（プロセス２）、ステップ１１８Ｃへ移行する。
【０１２２】
さらに、ステップ１６８でジョブ種が「ＣＯＰＹ」（画像複写ジョブ）と判定された場合は、ステップ１７４へ移行して、このジョブ種には電力供給の必要がない処理部（モジュール）として、ファクシミリ通信制御回路２３６を選択して、節電対象に設定して（プロセス２）、ステップ１１８Ｃへ移行する。
【実施例】
【０１２３】
図９は、上記図７（変形例２）の電力供給制御ルーチンに基づく状態遷移の実施例を示すタイミングチャートである。
【０１２４】
状況としては、画像処理装置１０がスリープ中に、画像処理装置１０を占有するユーザーが、ユーザーＡ→ユーザーＢ→ユーザーＣ→ユーザーＤの順にそれぞれジョブを実行するときの遷移である。
【０１２５】
ユーザーＡは、ジョブ種として、「ＳＣＡＮ」ジョブ、続いて「ＣＯＰＹ」ジョブを実行する。このため、処理部は、まず、「ＳＣＡＮ」ジョブに必要なＵＩタッチパネル２１６と、画像読取部２３８を稼動させる（その他のファクシミリ通信制御回路部２３６、画像形成部２４０は節電を維持）。
【０１２６】
ユーザーＡの「ＳＣＡＮ」ジョブが終了すると、次いで、「ＣＯＰＹ」ジョブに必要なＵＩタッチパネル２１６と、画像読取部２３８と、画像形成部２４０を稼動させる（その他のファクシミリ通信制御回路部２３６は節電を維持）。
【０１２７】
続いて、次のユーザーＢが、ジョブ種として「ＳＣＡＮ」ジョブ、続いて「（サーバー）ＰＲＩＮＴ」ジョブを実行する。「（サーバー）ＰＲＩＮＴ」ジョブとは、予めサーバーに蓄積した情報をユーザーＢが画像処理装置１０から指示することで読み出し、画像形成するものである。
【０１２８】
ここで、処理部は、現状（ユーザーＡの処理終了時）で稼動している処理部で「ＳＣＡＮ」ジョブが実行可能であるため、処理が継続される。
【０１２９】
ユーザーＢの「ＳＣＡＮ」ジョブの実行中において、途中でユーザーＢが画像処理装置１０から離れ、その時間ｔａが基準時間よりも長くなると（ｔａ＞ｔｓ「ｔｓは基準値」）、実行中の「ＳＣＡＮ」ジョブに不要な処理部であるＵＩタッチパネル２１６、画像形成部２４０を節電モードへ移行する。
【０１３０】
また、ユーザーＢ（と予測される人）が画像処理装置１０の向かって戻ってきた場合は、当該「ＳＣＡＮ」ジョブの開始時の稼動状態に戻す。
【０１３１】
ユーザーＢの「ＳＣＡＮ」ジョブが終了すると、次いで、「（サーバー）ＰＲＩＮＴ」ジョブに必要なＵＩタッチパネル２１６と、画像形成部２４０を稼動させる（その他のファクシミリ通信制御回路部２３６は節電を維持する）。
【０１３２】
ユーザーＢのジョブ処理が終了すると、スリープ移行時間（例えば、１分〜１０分程度）が経過した時点で、スリープモードとなり、全ての処理部が節電状態となる。
【０１３３】
次に、スリープモード中に、ユーザーＣが、ジョブ種として、「（サーバー）ＰＲＩＮＴ」を実行する。このため、処理部は、「（サーバー）ＰＲＩＮＴ」ジョブに必要なＵＩタッチパネル２１６と、画像形成部２４０を稼動させる（その他のファクシミリ通信制御回路部２３６、画像読取部２３８は節電を維持）。
【０１３４】
このユーザーＣのジョブ終了後、最後に、ユーザーＤが、ジョブ種として、「ＳＣＡＮ」ジョブ、続いて「（サーバー）ＰＲＩＮＴ」ジョブを実行する。このため、処理部は、まず、「ＳＣＡＮ」ジョブに必要なＵＩタッチパネル２１６と、画像読取部２３８を稼動させる（その他のファクシミリ通信制御回路部２３６を維持）。
【０１３５】
ユーザーＤの「ＳＣＡＮ」ジョブの実行中において、途中でユーザーＤが画像処理装置１０から離れたとしても、その離れた時間ｔｂが基準時間よりも短いと（ｔｓ＞ｔｂ「ｔｓは基準値」）、前記ユーザーＢのときと異なり、実行中の「ＳＣＡＮ」ジョブに不要な処理部であるＵＩタッチパネル２１６、画像形成部２４０を節電モードへは移行しない。
【０１３６】
ユーザーＤの「ＳＣＡＮ」ジョブが終了すると、次いで、「（サーバー）ＰＲＩＮＴ」ジョブに必要なＵＩタッチパネル２１６と、画像形成部２４０を稼動させる（その他のファクシミリ通信制御回路部２３６は節電を維持する。
【符号の説明】
【０１３７】
Ｗ    壁面
１０    画像処理装置
２０    ネットワーク通信回線網
２２    電話回線網
２４    監視制御部
２６    節電解除ボタン
２８    人感センサ
３０    ＰＣ
５０    画像処理状況認識部
５２    稼働中処理部特定部
５４    電力供給中・非稼働処理部特定部
５６    電力供給中処理部認識部
５８    判定部
６０    ジョブ処理中人感センサ出力信号取得部
６２    信号振分部
６４    タイマ管理部
６６    モード移行指示部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路（電力供給制御手段）
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７４    第５のサブ電源スイッチ（「ＳＷ−５」）
２７６    第６のサブ電源スイッチ（「ＳＷ−６」）
【図１】
0005136638.tif 000002
【図２】
0005136638.tif 000003
【図３】
0005136638.tif 000004
【図４】
0005136638.tif 000005
【図５】
0005136638.tif 000006
【図６】
0005136638.tif 000007
【図７】
0005136638.tif 000008
【図８】
0005136638.tif 000009
【図９】
0005136638.tif 000010